(57)【要約】【課題】デジタルインターフェースの制御線を利用して、所定のソース機器に通信用のアドレスを優先して取得させる。【解決手段】この映像・音声処理装置は、筐体の内部と外部のうち前記内部に配置され、映像・音声を処理するソース機器を備え、このソース機器は、取得可能な少なくとも一つの通信用アドレスの候補が記憶された通信用アドレス候補メモリと、前記ソース機器への電源供給が行われた場合、制御装置から受信される接続検出信号を待たずして、通信用アドレス候補メモリの通信用アドレスの候補を用いて通信用アドレス取得動作をポーリングで行い、決定した通信用アドレスを、デジタルインターフェースの制御線を通じて制御装置へ通知する通信用アドレス取得ユニットとを備える。【選択図】図１
2011146777.tif 000002
【特許請求の範囲】
【請求項１】
筐体の内部と外部のうち前記内部にすくなくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記筐体内外に接続された前記ソース機器を、前記デジタルインターフェースの制御線を通じて制御する制御装置とを備え、
前記制御装置は、
前記デジタルインターフェースへのソース機器の接続を検出し、接続検出信号を前記デジタルインターフェースを通じて前記ソース機器へ出力する接続検出部を備え、
前記筐体内外に接続される前記ソース機器のうちの所定の前記ソース機器は、
取得可能な少なくとも一つの通信用アドレスの候補が記憶された通信用アドレス候補メモリと、
前記ソース機器への電源供給が行われた場合、前記制御装置から受信される前記接続検出信号を待たずして、前記通信用アドレス候補メモリから所定の順序で読み出した一つの通信用アドレスの候補を用いて通信用アドレス取得動作をポーリングで行い、決定した通信用アドレスを、前記デジタルインターフェースを通じて前記制御装置へ通知する通信用アドレス取得ユニットと
を具備することを特徴とする映像・音声処理装置。
【請求項２】
筐体の内部と外部のうち前記内部にすくなくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記筐体内外に接続された前記ソース機器を、前記デジタルインターフェースの制御線を通じて制御する制御装置とを備え、
前記制御装置は、
前記デジタルインターフェースへのソース機器の接続を検出し、接続検出信号を、前記デジタルインターフェースを通じて前記ソース機器へ出力する接続検出部を備え、
前記筐体内外に接続される前記ソース機器のうちの所定の前記ソース機器は、
取得可能な少なくとも一つの通信用アドレスの候補が記憶された通信用アドレス候補メモリと、
前記制御装置から前記接続検出信号が受信された場合、前記通信用アドレス候補メモリの通信用アドレスの候補のうち、アドレスの値の大きいものから順に読み出して通信用アドレス取得動作をポーリングで行い、決定した通信用アドレスを、前記デジタルインターフェースを通じて前記制御装置へ通知する通信用アドレス取得ユニットと
を具備することを特徴とする映像・音声処理装置。
【請求項３】
筐体の内部と外部のうち前記内部にすくなくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記筐体内外に接続された前記ソース機器を、前記デジタルインターフェースの制御線を通じて制御する制御装置とを備え、
前記制御装置は、
前記デジタルインターフェースへのソース機器の接続を検出し、接続検出信号を、前記デジタルインターフェースを通じて前記ソース機器へ出力する接続検出部を備え、
前記筐体内外に接続される前記ソース機器のうちの所定のソース機器は、
取得可能な少なくとも一つの通信用アドレスの候補が記憶された通信用アドレス候補メモリと、
前記制御装置から前記接続検出信号が受信された場合、前記通信用アドレス候補メモリから所定の順序で読み出した一つの通信用アドレスの候補を用いて通信用アドレス取得動作をポーリングで行い、決定した通信用アドレスを、前記デジタルインターフェースを通じて前記制御装置へ通知する通信用アドレス取得ユニットとを備え、
前記通信用アドレス取得ユニットは、
前記通信用アドレスが決定する前に、他のソース機器からポーリングがあり、前記ポーリングによる要求に、事前にアドレス取得用に登録しておいた特定のアドレスと一致する通信用アドレスの候補が含まれていた場合、前記通信用アドレスの候補が使用中である旨の応答を返信した後、前記特定のアドレスを用いて通信用アドレス取得動作を行うことを特徴とする映像・音声処理装置。
【請求項４】
前記通信用アドレス取得ユニットは、
前記通信用アドレスを取得後、接続検出信号が受信された場合、アドレス取得動作を行わないことを特徴とする請求項１乃至３いずれか１記載の映像・音声処理装置。
【請求項５】
前記制御装置は、
前記ソース機器から通知された通信用アドレスを記憶可能な通信用アドレスメモリと、
前記デジタルインターフェースを通じて前記ソース機器から受信された通信用アドレスを前記通信用アドレスメモリに記憶した後、前記通信用アドレスメモリに通信用アドレスが記憶されているソース機器の接続が前記接続検出部により検出された場合、前記ソース機器が予め指定された入力ポートに接続された機器である場合、接続検出信号を送出しないよう前記接続検出部を制御する制御部を具備することを特徴とする請求項１乃至４いずれか１記載の映像・音声処理装置。
【請求項６】
前記筐体に設けられ、前記ソース機器により処理される映像・音声を表示するディスプレイを具備することを特徴とする請求項１乃至５いずれか１記載の映像・音声処理装置。
【請求項７】
筐体の内部と外部のうち前記内部にすくなくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記デジタルインターフェースおよび前記端子を通じて前記筐体内外に接続された前記ソース機器を制御する制御装置とを備えた映像・音声処理装置による映像・音声処理方法であって、
前記制御装置は、
前記デジタルインターフェースへのソース機器の接続を検出し、接続が検出されたソース機器に対して、前記デジタルインターフェースを通じて接続検出信号を出力し、
前記筐体内外に接続される前記ソース機器のうちの所定のソース機器は、
前記ソース機器への電源供給が行われた場合、前記制御装置から受信される前記接続検出信号を待たずして、取得可能な少なくとも一つの通信用アドレスの候補が記憶された通信用アドレス候補メモリから所定の順序で読み出した通信用アドレスの候補を用いて通信用アドレス取得動作をポーリングにより行い、決定した通信用アドレスを、前記デジタルインターフェースを通じて前記制御装置へ通知することを特徴とする映像・音声処理方法。
【請求項８】
筐体の内部と外部のうち前記内部にすくなくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記デジタルインターフェースおよび前記端子を通じて前記筐体内外に接続された前記ソース機器を制御する制御装置とを備えた映像・音声処理装置による映像・音声処理方法であって、
前記制御装置は、
前記デジタルインターフェースへのソース機器の接続を検出し、接続が検出されたソース機器に対して、前記デジタルインターフェースを通じて接続検出信号を出力し、
前記筐体内外に接続される前記ソース機器のうちの所定のソース機器は、
前記制御装置から前記接続検出信号が受信された場合、前記通信用アドレス候補メモリの通信用アドレスの候補のうち、アドレスの値の大きいものから順に読み出して通信用アドレス取得動作をポーリングで行い、決定した通信用アドレスを、前記デジタルインターフェースを通じて前記制御装置へ通知することを特徴とする映像・音声処理方法。
【請求項９】
筐体の内部と外部のうち前記内部にすくなくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記デジタルインターフェースおよび前記端子を通じて前記筐体内外に接続された前記ソース機器を制御する制御装置とを備えた映像・音声処理装置による映像・音声処理方法であって、
前記制御装置は、
前記デジタルインターフェースへのソース機器の接続を検出し、接続が検出されたソース機器に対して、前記デジタルインターフェースを通じて接続検出信号を出力し、
前記筐体内外に接続される前記ソース機器のうちの所定のソース機器は、
前記制御装置から前記接続検出信号が受信された場合、前記通信用アドレス候補メモリから所定の順序で読み出した一つの通信用アドレスの候補を用いて通信用アドレス取得動作をポーリングで行い、決定した通信用アドレスを、前記デジタルインターフェースを通じて前記制御装置へ通知し、
前記通信用アドレスが決定する前に、他のソース機器からポーリングがあり、前記ポーリングによる要求に、事前にアドレス取得用に登録しておいた特定のアドレスと一致する通信用アドレスの候補が含まれていた場合、前記通信用アドレスの候補が使用中である旨の応答を返信した後、前記特定のアドレスを用いて通信用アドレス取得動作を行うことを特徴とする映像・音声処理方法。
【発明の詳細な説明】
【技術分野】
【０００１】
本発明は、映像・音声などの信号を処理するデジタルインターフェースを有する映像・音声処理装置及び映像・音声処理方法に関する。
【背景技術】
【０００２】
近年、映像・音声処理装置としてのテレビジョン受信機は高機能化され、映像・音声の信号と制御信号とを一つのケーブルで送受信できるデジタルインターフェース、例えばHigh-Definition Multimedia Interface入力端子（ＨＤＭＩ入力端子等）を備えたものが商品化されている。なお、High-Definition Multimedia InterfaceおよびＨＤＭＩは登録商標である。
【０００３】
ＨＤＭＩケーブルには、例えばベンダーが独自に設定した機能を動作させるための制御コマンドを機器間でやりとりするためにＣＥＣ（Consumer Electronics Control）制御線が通常１本（１ｃｈ）設けられている。
【０００４】
このＨＤＭＩ−ＣＥＣ制御線では、テレビジョン受信機に設けられたＨＤＭＩ端子にレコーダやプレーヤ等のソース機器が接続されたときに、テレビジョン受信機とソース機器間でコマンドをやりとりして通信用のアドレスをソース機器に取得させることで、その後、そのアドレスをテレビジョン受信機から指定してソース機器の機能制御を行うことができる。
【０００５】
テレビジョン受信機に複数のＨＤＭＩ端子が設けられているケースで、複数のソース機器をＨＤＭＩ端子に接続する際には、通常、ソース機器がＨＤＭＩ端子に接続されたときに通信を開始した順に通信用のアドレスが設定されるため、通信順序が変わるたびにソース機器の通信用のアドレスも変わってしまうことになる。
【０００６】
最近では、ＤＶＤプレーヤ等のソース機器を内蔵したテレビジョン受信機も商品化されているが、通信順序によって通信用のアドレスの設定がいちいち変わってしまうと、内蔵したソース機器と外部接続のソース機器とを制御する上で好ましくなく、通常、内蔵するソース機器の制御には、ＨＤＭＩ−ＣＥＣ制御線とは別に設けた専用線を用いるが、この場合、内蔵するソース機器の制御と外部接続されるソース機器のＨＤＭＩ−ＣＥＣ制御とのための連携機能部品を開発する必要があり、コスト高になる。
【０００７】
ＨＤＭＩ−ＣＥＣ制御線を利用して通信用アドレスを固定する従来の技術としては、例えば複数のＨＤＭＩ端子にそれぞれ接続された外部ソース機器（例えばレコーダ等）の各接続位置毎に通信用アドレスの取得処理の開始タイミングが異なるように予め設定しておき、各レコーダが通信用アドレスの取得処理を開始したときに、取得開始タイミングが早い順に、互いに異なる通信用アドレスを取得することで、各レコーダが取得する通信用アドレスが一意に固定されるようにした技術が既に公開されている（例えば特許文献１参照）。
【先行技術文献】
【特許文献】
【０００８】
【特許文献１】特開２００９−７１３９６号公報
【発明の概要】
【発明が解決しようとする課題】
【０００９】
上述した従来の技術の場合、ＨＤＭＩ端子に接続される各外部ソース機器に対して通信用アドレスの取得処理の開始タイミングが異なるように予め待ち時間を設定しておく必要がある。
【００１０】
しかしながら、ＨＤＭＩ端子に外部接続する全てのソース機器のタイミングを強制的にずらすには、消費者が購入するソース機器を、同じ製造元（ベンダー）で管理された機器に統一する必要があり、ＨＤＭＩ端子が汎用のデジタルインターフェースであることを考慮すると、実現性が乏しいという問題がある。
【００１１】
本発明はこのような課題を解決するためになされたもので、データ線と制御線を含むデジタルインターフェースに複数のソース機器が接続されるケースで、制御線を利用して、所定のソース機器に通信用のアドレスを優先して取得させることのできる低コストな映像・音声処理装置および映像・音声処理方法を提供することを目的とする。
【課題を解決するための手段】
【００１２】
上記の課題を解決するために、本発明の映像・音声処理装置は、筐体の内部と外部のうち前記内部にすくなくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記デジタルインターフェースおよび前記端子を通じて前記筐体内外に接続された前記ソース機器を制御する制御装置とを備え、前記制御装置は、前記デジタルインターフェースへのソース機器の接続を検出し、接続検出信号を前記デジタルインターフェースを通じて前記ソース機器へ出力する接続検出部を備え、前記筐体内外に接続される前記ソース機器のうちの所定のソース機器は、取得可能な少なくとも一つの通信用アドレスの候補が記憶された通信用アドレス候補メモリと、前記ソース機器への電源供給が行われた場合、前記制御装置から受信される前記接続検出信号を待たずして、前記通信用アドレス候補メモリの所定の通信用アドレスの候補を用いて通信用アドレス取得動作をポーリングで行い、決定した通信用アドレスを、前記デジタルインターフェースを通じて前記制御装置へ通知する通信用アドレス取得ユニットとを具備することを特徴とする。
【００１３】
本発明の映像・音声処理装置は、筐体の内部と外部のうち前記内部にすくなくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記筐体内外に接続された前記ソース機器を、前記デジタルインターフェースの制御線を通じて制御する制御装置とを備え、前記制御装置は、前記デジタルインターフェースへのソース機器の接続を検出し、接続検出信号を前記デジタルインターフェースを通じて前記ソース機器へ出力する接続検出部を備え、前記筐体内外に接続される前記ソース機器のうちの所定の前記ソース機器は、取得可能な少なくとも一つの通信用アドレスの候補が記憶された通信用アドレス候補メモリと、前記制御装置から前記接続検出信号が受信された場合、前記通信用アドレス候補メモリの通信用アドレスの候補のうち、アドレスの値の大きいものから順に読み出して通信用アドレス取得動作をポーリングで行い、決定した通信用アドレスを、前記デジタルインターフェースを通じて前記制御装置へ通知する通信用アドレス取得ユニットとを具備することを特徴とする。
【００１４】
本発明の映像・音声処理装置は、筐体の内部と外部のうち前記内部にすくなくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記筐体内外に接続された前記ソース機器を、前記デジタルインターフェースの制御線を通じて制御する制御装置とを備え、前記制御装置は、前記デジタルインターフェースへのソース機器の接続を検出し、接続検出信号を前記デジタルインターフェースを通じて前記ソース機器へ出力する接続検出部を備え、前記筐体内外に接続される前記ソース機器のうちの所定のソース機器は、取得可能な少なくとも一つの通信用アドレスの候補が記憶された通信用アドレス候補メモリと、前記制御装置から前記接続検出信号が受信された場合、前記通信用アドレス候補メモリから所定の順序で読み出した一つの通信用アドレスの候補を用いて通信用アドレス取得動作をポーリングで行い、決定した通信用アドレスを、前記デジタルインターフェースを通じて前記制御装置へ通知する通信用アドレス取得ユニットとを備え、前記通信用アドレス取得ユニットは、前記通信用アドレスが決定する前に、他のソース機器からポーリングがあり、前記ポーリングによる要求に、事前にアドレス取得用に登録しておいた特定のアドレスと一致する通信用アドレスの候補が含まれていた場合、前記通信用アドレスの候補が使用中である旨の応答を返信した後、前記特定のアドレスを用いて通信用アドレス取得動作を行うことを特徴とする。
【００１５】
本発明の映像・音声処理方法は、筐体の内部と外部のうち前記内部にすくなくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記デジタルインターフェースおよび前記端子を通じて前記筐体内外に接続された前記ソース機器を制御する制御装置とを備えた映像・音声処理装置による映像・音声処理方法であって、前記制御装置は、前記デジタルインターフェースへのソース機器の接続を検出し、接続が検出されたソース機器に対して、前記デジタルインターフェースを通じて接続検出信号を出力し、前記筐体内外に接続される前記ソース機器のうちの所定のソース機器は、前記ソース機器への電源供給が行われた場合、前記制御装置から受信される前記接続検出信号を待たずして、取得可能な少なくとも一つの通信用アドレスの候補が記憶された通信用アドレス候補メモリから所定の順序で読み出した通信用アドレスの候補を用いて通信用アドレス取得動作をポーリングにより行い、決定した通信用アドレスを、前記デジタルインターフェースを通じて前記制御装置へ通知することを特徴とする。
【００１６】
本発明の映像・音声処理方法は、筐体の内部と外部のうち前記内部にすくなくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記デジタルインターフェースおよび前記端子を通じて前記筐体内外に接続された前記ソース機器を制御する制御装置とを備えた映像・音声処理装置による映像・音声処理方法であって、前記制御装置は、前記デジタルインターフェースへのソース機器の接続を検出し、接続が検出されたソース機器に対して、前記デジタルインターフェースを通じて接続検出信号を出力し、前記筐体内外に接続される前記ソース機器のうちの所定のソース機器は、前記制御装置から前記接続検出信号が受信された場合、前記通信用アドレス候補メモリの通信用アドレスの候補のうち、アドレスの値の大きいものから順に読み出して通信用アドレス取得動作をポーリングで行い、決定した通信用アドレスを、前記デジタルインターフェースを通じて前記制御装置へ通知することを特徴とする。
【００１７】
本発明の映像・音声処理方法は、筐体の内部と外部のうち前記内部にすくなくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記デジタルインターフェースおよび前記端子を通じて前記筐体内外に接続された前記ソース機器を制御する制御装置とを備えた映像・音声処理装置による映像・音声処理方法であって、前記制御装置は、前記デジタルインターフェースへのソース機器の接続を検出し、接続が検出されたソース機器に対して、前記デジタルインターフェースを通じて接続検出信号を出力し、前記筐体内外に接続される前記ソース機器のうちの所定のソース機器は、前記制御装置から前記接続検出信号が受信された場合、前記通信用アドレス候補メモリから所定の順序で読み出した一つの通信用アドレスの候補を用いて通信用アドレス取得動作をポーリングで行い、決定した通信用アドレスを、前記デジタルインターフェースを通じて前記制御装置へ通知し、前記通信用アドレスが決定する前に、他のソース機器からポーリングがあり、前記ポーリングによる要求に、事前にアドレス取得用に登録しておいた特定のアドレスと一致する通信用アドレスの候補が含まれていた場合、前記通信用アドレスの候補が使用中である旨の応答を返信した後、前記特定のアドレスを用いて通信用アドレス取得動作を行うことを特徴とする。
【発明の効果】
【００１８】
本発明によれば、データ線と制御線を含むデジタルインターフェースに複数のソース機器が接続されるケースで、制御線を利用して、所定のソース機器に通信用のアドレスを優先して取得させることができる低コストな映像・音声処理装置および映像・音声処理方法を提供する。
【図面の簡単な説明】
【００１９】
【図１】本発明の一実施形態のＢＤプレーヤ内蔵ＴＶの構成を示す図である。
【図２】ＢＤプレーヤ内蔵ＴＶの第１動作例を示すフローチャートである。
【図３】第１動作例のタイミングチャートである。
【図４】ＢＤプレーヤ内蔵ＴＶの第２動作例を示すフローチャートである。
【図５】第２動作例のタイミングチャートである。
【図６】ＢＤプレーヤ内蔵ＴＶの第３動作例を示すフローチャートである。
【図７】第３動作例のタイミングチャートである。
【発明を実施するための形態】
【００２０】
以下、図面を参照して、本発明の映像・音声処理装置の一つの実施の形態のブルーレイディスク（以下「ＢＤ」と称す）プレーヤ内蔵テレビジョン装置（以下「ＢＤプレーヤ内蔵ＴＶ」と称す）を詳細に説明する。図１はＢＤプレーヤ内蔵ＴＶの構成を示す図である。ブルーレイおよびブルーレイディスクは登録商標である。
【００２１】
図１に示すように、この実施形態のＢＤプレーヤ内蔵ＴＶは、映像表示用のディスプレイ３７およびスピーカ３８などの出力部を備え、ディスプレイ３７およびスピーカ３８に出力する情報を生成する機能部品を収容したＴＶ筐体１と、このＴＶ筐体１に設けられた外部入力用のＨＤＭＩ端子４０と電源ユニット８とを有している。この例では説明をわかりやすくするためにＨＤＭＩ端子４０を１つ例示したが、端子の数は２つ以上複数（多数）設けてもよい。
【００２２】
すなわち、このＢＤプレーヤ内蔵ＴＶは、ＴＶ筐体１の内部と外部のうち内部にすくなくともソース機器が１つ配置されており、ＴＶ筐体１には外部接続されるソース機器が着脱可能な端子４０が設けられており、端子４０とＴＶ筐体１の内部のソース機器にはＨＤＭＩケーブル５，６を介して制御装置３０が接続されており、制御装置３０はＨＤＭＩケーブル５，６および端子４０を通じてＴＶ筐体１内外に接続されたソース機器を制御するものである。
【００２３】
電源ユニット８は、ＴＶ筐体１から引き出されたＡＣコンセントが、家庭の壁コンセントなどの商用電源に差し込まれ、電源ユニット８に一次電源（交流１００Ｖ）が供給されると、一次電源（ＡＣ１００Ｖ）をＡＣ（交流）／ＤＣ（直流）変換して駆動用の電力（直流＋１２Ｖ、＋５Ｖ等）をＢＤユニット２およびＴＶユニット３へ供給する。
【００２４】
外部入力用のＨＤＭＩ端子４０には、外部接続用のソース機器としての例えばＤＶＤプレーヤ４等が汎用のＨＤＭＩケーブル７を介して着脱自在に接続される。この他、外部接続用のソース機器としては、例えばＢＤプレーヤ、ＡＶアンプ、レコーダ、ＡＶセレクタ…等があり、ＨＤＭＩ端子４０に接続可能である。
【００２５】
ＴＶ筐体１内には、外部入力用のＨＤＭＩ端子４０から内部配線用のＨＤＭＩケーブル６が接続され、ＴＶユニット３へ配線されている。ＨＤＭＩケーブル６の配線としては、例えばホットプラグ検出線１２（以下「ＨＰＤ線１２」と称す）、ＨＤＭＩ−ＣＥＣ制御線１３、＋５Ｖ電源線１６、映像・音声のデータ線であるデータ線１８等がある。＋５Ｖ電源線１６には電源スイッチがオンされたＤＶＤプレーヤ４から＋５ＶがＨＰＤ制御ユニット３２へ供給される。
【００２６】
ＨＤＭＩ−ＣＥＣ制御線１３には、外部ソース機器と内蔵ソース機器とが物理的に共通（１本の配線を２つに分岐させた状態）で接続されている。このＨＤＭＩ−ＣＥＣ制御線１３を利用してコマンドをやりとりすることで、内外に接続されたソース機器の動作制御、切り替え制御等を行える。
【００２７】
コマンドとしては、例えばベンダーコマンド、デッキコントロールスコマンド、アクティブソースコマンドなどがある。ベンダーコマンドおよびデッキコントロールコマンドはダイレクトコマンドであり、宛先を特定したコマンドである。
【００２８】
ベンダーコマンドは個々のベンダーで個別の機能制御などに利用するためのコマンドである。デッキコントロールコマンドは、機器を個別の機器から制御するためのコマンドであり、例えばＴＶ側のリモコンからＢＤユニット２へのディスク再生、停止など、ボタン操作に応じた動作を行わせるためのコマンドである。
【００２９】
ＴＶユニット３は、制御装置３０、ＴＶチューナー３５、映像・音声処理ユニット３６、ディスプレイ３７、スピーカ３８などを有している。
【００３０】
ＴＶチューナー３５は、アンテナから入力されたテレビジョン放送を受信し、受信された番組の映像・音声を映像・音声処理ユニット３６に出力する。ＴＶチューナー３５はデジタルおよびアナログいずれの場合もある。また複数実装されている場合もある。
【００３１】
映像・音声処理ユニット３６は、ＴＶチューナー３５から入力される映像・音声のデジタルデータまたはアナログ信号とＨＤＭＩケーブル５，６の各データ線１７，１８よりそれぞれ入力される映像・音声のデジタルデータを再生する。
【００３２】
なお映像・音声処理ユニット３６は、制御装置３０により制御されて、ＴＶチューナー３５とＨＤＭＩケーブル５，６からそれぞれ入力されるデータまたは信号を切り替えてディスプレイ３７およびスピーカ３８へ出力する。このＢＤプレーヤ内蔵ＴＶがマルチ画面表示機能を有する場合、映像・音声処理ユニット３６は、分割した複数の画面にそれぞれの映像ソースを表示するよう再生処理する。
【００３３】
ディスプレイ３７は、映像・音声処理ユニット３６により再生処理された映像を画面に表示する。スピーカ３８は、映像・音声処理ユニット３６により再生処理された音声を出力する。
【００３４】
制御装置３０は、ＨＰＤ制御ユニット３１，３２とＣＥＣ制御ユニット３３とメモリ３４を有している。
【００３５】
ＨＰＤ制御ユニット３１は、ＨＤＭＩ端子２９（ＨＤＭＩケーブル５）への内蔵ソース機器（ＢＤユニット２）の接続を検出し、接続が検出されたＢＤユニット２に対するＨＰＤ信号をＬｏ（de-assert：停止状態）からＨｉ（Asserted：アクティブな状態）へ変化させるホットプラグ検出部として機能する。
【００３６】
なお、この例では、ＨＰＤ信号をＬｏからＨｉへ変化させたが、ソース機器の接続の検出を、信号を出すか出さないかで切り替えてもよい。すなわち、ＨＰＤ制御ユニット３１は、接続が検出されたＢＤユニット２に対して、接続検出信号をＨＤＭＩケーブル５のＨＰＤ線１１を通じて出力する。
【００３７】
ＨＰＤ制御ユニット３２は、ＨＤＭＩ端子３９，４０（ＨＤＭＩケーブル６）への外部接続のソース機器（ＤＶＤプレーヤ４）の接続を検出し、接続が検出されたＤＶＤプレーヤ４に対するＨＰＤ信号をＬｏ（de-assert：停止状態）からＨｉ（Asserted：アクティブな状態）へ変化させる接続検出部またはホットプラグ検出部等として機能する。
【００３８】
なお、この例では、ＨＰＤ信号を変化させたが、ソース機器の接続の検出をホットプラグ検出信号を出すか出さないかで切り替えてもよい。すなわち、ＨＰＤ制御ユニット３２は、接続が検出されたＤＶＤプレーヤ４に対して、接続検出信号を、ＨＤＭＩケーブル６のＨＰＤ線１２を通じて出力する。
【００３９】
メモリ３４には、Physical Addressの付与の元となるＨＤＭＩのポートの情報が記憶されている。ポートの情報は、例えばＨＤＭＩケーブル５が接続されるポートの物理アドレスとして「１．０．０．０」、ＨＤＭＩケーブル６が接続されるポートの物理アドレスとして「２．０．０．０」等である。各ソース機器には、接続時にＨＤＭＩのポートに応じた物理アドレスが割り当てられて付与される。
【００４０】
接続時に各ソース機器に付与される物理アドレス（Physical Address）は機器固有のものではなく、当該機器の接続位置（接続ポート）に応じて制御装置３０のＣＥＣ制御ユニット３３が決定し、各ソース機器へ付与する。ＢＤユニット２には、ＨＤＭＩケーブル５が接続されるポートの下位のPhysical Addressとして、例えば「１．１．０．０」等が付与される。ＤＶＤプレーヤ４には、ＨＤＭＩケーブル６が接続されるポートの下位のPhysical Addressとして、例えば「２．１．０．０」等が付与される。
【００４１】
メモリ３４は、通信用アドレス取得動作によりソース機器が決定して通知してきた通信用アドレス（ソース機器に付与した物理アドレス（Physical Address）と論理アドレス（Logical Address）との対）を記憶可能な通信用アドレスメモリである。
【００４２】
ＣＥＣ制御ユニット３３は、ＨＤＭＩケーブル５，６からの共通の制御線であるＨＤＭＩ−ＣＥＣ制御線１３を通じて各ソース機器から受信されたアドレス決定通知に含まれる通信用アドレスを抽出し、通信用アドレスのメモリ３４に記憶する。それ以降、ＣＥＣ制御ユニット３３は、メモリ３４に記憶した通信用アドレスを用いてソース機器に対する通信制御を行う。
すなわち、ＣＥＣ制御ユニット３３は、ＨＤＭＩ−ＣＥＣ制御線１３を通じてソース機器から受信された通信用アドレスをメモリ３４に記憶し、このメモリ３４に記憶した通信用アドレスを用いて各ソース機器に対する制御を行う。
【００４３】
ＴＶユニット３には、ＢＤユニット２にＨＤＭＩケーブル５を介して接続されたＨＤＭＩ端子２９と、ＨＤＭＩケーブル６を介してＨＤＭＩ端子４０に接続されたＨＤＭＩ端子３９が設けられている。
【００４４】
ＨＤＭＩ端子２９には、例えばＢＤやＤＶＤ等といったディスク状記録媒体に記録された情報を読み出して再生するＢＤプレーヤユニット２（以下「ＢＤユニット２」と称す）等の内蔵ソース機器が、内部配線用のＨＤＭＩケーブル５を介して接続されている。またＨＤＭＩ端子２９は、各内部配線を介して制御装置３０に接続されている。
【００４５】
ＨＤＭＩケーブル５の配線としては、例えばホットプラグ検出線１１（以下「ＨＰＤ線１１」と称す）、ＨＤＭＩ−ＣＥＣ制御線１３、＋５Ｖ電源線１５、映像・音声のデータ線である映像・音声線１７等がある。＋５Ｖ電源線１５には電源ユニット８から電源供給を受けたＢＤユニット２から＋５ＶがＨＰＤ制御ユニット３１へ供給される。
【００４６】
ＢＤユニット２は、候補メモリ２１と、保持部２２と、通信用アドレス取得ユニットとしてのＣＥＣ制御ユニット２３とを有している。ＢＤユニット２としては、例えばＢＤディスクの映像・音声を再生する装置だけでなく、ＢＤディスクに対して映像・音声を記録する装置も含まれる。
【００４７】
候補メモリ２１は、電源供給されなくなった場合も保持可能な例えばＥＥＰＲＯＭなどにより実現されている。候補メモリ２１には、このＢＤユニット２の物理アドレス（Physical Address）と、このＢＤユニット２が取得可能な少なくとも一つの論理アドレス（Logical Address）の候補が予め記憶されている。
【００４８】
ＨＤＭＩ−ＣＥＣ規格では、接続機器に割り当てられるLogical Addressがデバイスタイプ毎に決められており、この例のようにＢＤユニット２などではデバイスタイプが「Playback Device」であり、この場合、Logical Addressとして「４」と「８」と「１１」が取得可能である。Logical Addressを機器ＩＤ、機器識別子等という場合もある。
【００４９】
この例では、固定値の場合は、例えばアドレスの数値の高いアドレス「１１」が候補メモリ２１に記憶されているものとする。この他、例えば割り当て可能な全てのアドレス「４」，「８」，「１１」が候補メモリ２１に記憶されていてもよい。
【００５０】
保持部２２は、ＲＡＭにより実現されており、決定した通信用アドレス（Physical AddressとLogical Addressの対）、通信用アドレスを決定（取得）したことを示すフラグ、事前に登録される特定のアドレス（仮登録Logical Address）または指定の入力ポート等が保持される。
【００５１】
保持部２２がＲＡＭのため、通信用アドレス、フラグおよび入力ポートの保持期間はアドレス取得後、電源供給が停止するまでである。指定の入力ポートとは、一度Logical Addressを取得した後、ＨＰＤ信号が変化したときにアドレス取得動作を行わないためのＨＤＭＩのPhysical Addressである。指定の入力ポートとして、例えばＢＤユニット２が接続されているＨＤＭＩケーブル５の入力ポートであるPhysical Address（１．０．０．０）等が指定される。
【００５２】
ＣＥＣ制御ユニット２３は、このＢＤユニット２への電源供給が行われてＣＥＣ制御ユニット２３に電源が供給された場合、制御装置３０から受信されるＨＰＤ信号がアクティブな状態に変化するのを待つことなく、候補メモリ２１から、ＢＤユニット２の固定値のPhysical Addressと、予め設定された値で持つLogical Addressの候補（例えば「１１」など）とを含めたアドレス取得要求のポーリング動作（アドレス取得動作）を、ＨＤＭＩケーブル５のＨＤＭＩ−ＣＥＣ制御線１３を通じて行う。なおLogical Addressの候補は、固定値ではなく複数のアドレス候補が記憶されている場合は、通常とは逆の順序、例えばアドレス値の高いものから低いものへ順序に読み出すものとする。
【００５３】
ポーリングのコマンドを送信した後、他のソース機器（例えばＤＶＤプレーヤ４等）から候補のアドレスが使用中である旨の応答（ACK）が受信されなかった場合（NACK応答）、ＣＥＣ制御ユニット２３は、その候補を通信用のLogical Addressとして決定し、決定したLogical AddressとＢＤユニット２のPhysical Addressを含む通信用アドレスをリポートフィジカルアドレスコマンド（アドレス決定通知）に含ませて、ＨＤＭＩ−ＣＥＣ制御線１３を通じて制御装置３０のＣＥＣ制御ユニット３３へ送信する。リポートフィジカルアドレスコマンド（アドレス決定通知）はブロードキャスト送信される。
【００５４】
すなわち、ＣＥＣ制御ユニット２３は、ＢＤユニット２への電源供給が行われた場合、ＨＰＤ信号のＬｏ→Ｈｉへの変化を待たずして、候補メモリ２１から通信用アドレスの候補を一つずつ読み出し、通信用アドレスの候補を用いて通信用アドレス取得処理をポーリングで行い、決定した通信用アドレスを、ＨＤＭＩ−ＣＥＣ制御線１３を通じて制御装置３０へ通知する。
【００５５】
換言すると、ＣＥＣ制御ユニット２３は、ＢＤユニット２への電源供給が行われた場合、ＨＰＤ信号の受信を待たずして、ＢＤユニット２の固定値のPhysical Addressと一つの通信用のLogical Addressの候補とを候補メモリ２１から読み出し、それらのアドレスを含めたアドレス取得要求のためのポーリング動作を、ＨＤＭＩ−ＣＥＣ制御線１３を通じて行い、その後、候補のアドレスが使用中である旨の応答が受信されなかった場合、候補のアドレスを通信用のLogical Addressとして決定し、決定したLogical AddressとPhysical Addressを含む通信用アドレスをアクティブソースコマンド（アドレス決定通知）に含ませて、ＨＤＭＩ−ＣＥＣ制御線１３を通じて制御装置３０へ送信する。
【００５６】
ＣＥＣ制御ユニット２３は、通信用アドレスを取得後、保持部２２に通信用アドレスまたはフラグを保持し、以降、ＨＰＤ信号がＬｏ→Ｈｉに変化した場合にこの保持部２２に通信用アドレス、フラグおよび指定入力ポートの少なくとも一つが保持されている場合は該当保持内容に従いアドレス取得動作を行わない。
【００５７】
（第１動作例）続いて、図２，図３を参照してこの実施形態のＢＤプレーヤ内蔵ＴＶの第１動作例を説明する。このＢＤプレーヤ内蔵ＴＶでは、予めアドレス取得用として、ＣＥＣコマンドに含ませて送信する一つの候補アドレスを候補メモリ２１に固定値、例えば「１１」などで持っておく。家庭の壁コンセントなどの商用電源に、このＴＶ筐体１から引き出されたＡＣコンセントが差し込まれ、電源ユニット８にＡＣ１００Ｖ（一次電源）が供給されると、電源ユニット８からＢＤユニット２およびＴＶユニット３へ駆動用の電力が供給される（図２のステップＳ１０１、図３の時刻ｔ１）。
【００５８】
ＢＤユニット２は、ＴＶユニット３の予め決められたＨＤＭＩ端子２９（固定端子）に接続されており、予め候補メモリ２１にPhysical Addressを固定値で保持している。このためＨＰＤ信号がde-assertからAssertedに変化する前からLogical addressの取得動作が可能である。
【００５９】
したがって、内蔵のＢＤユニット２に駆動用の電力が供給されると、内蔵のＢＤユニット２では、ＣＥＣ制御ユニット２３が、制御装置３０からのＨＰＤ信号の変化を待つことなく、予め固定値で持っていたPhysical Addressを候補メモリ２１から直ちに読み出し（ステップＳ１０２）、候補のアドレス「１１」を用いてＨＤＭＩ−ＣＥＣ制御線１３を通じてLogical Addressの取得動作を開始する（ステップＳ１０３）。
【００６０】
具体的には、ＨＰＤ信号がアクティブな状態に変化するのを待つことなく、ソース機器の固定値のPhysical Addressと予め指定（設定）されたLogical Addressの候補「１１」とを候補メモリ２１から読み出し、それらのアドレスを含めたアドレス取得要求のポーリング動作を、ＨＤＭＩ−ＣＥＣ制御線１３を通じて行う。
【００６１】
ポーリング動作に対し、候補のアドレス「１１」がLogical Addressとして使用中である旨の応答（ACK）が他のソース機器から受信されなかった場合、その候補のアドレス「１１」を通信用のLogical Addressとして正式に決定し（図３の時刻ｔ２）、決定したLogical Address「１１」とソース機器のPhysical Addressを含む通信用アドレスをアドレス決定通知（ＣＥＣコマンド）に含ませてＨＤＭＩ−ＣＥＣ制御線１３を通じて制御装置３０へ送信する（ステップＳ１０４）。
【００６２】
一方、外部接続のＤＶＤプレーヤ４では、自己の電源スイッチがオンされて既に電源が投入されている場合（ステップＳ２０１）、ＣＥＣ制御ユニット４３は、ＴＶ筐体１側からＨＤＭＩ−ＣＥＣ制御線１３を通じて入力されるＨＰＤ信号がAsserted（アクティブな状態）になるのを待機している（ステップＳ２０２）。
【００６３】
電源ユニット８から動作用の電力がＴＶユニット３へ供給されたことで、ＴＶユニット３では、ＨＰＤ制御ユニット３２がＤＶＤプレーヤ４へのＨＰＤ信号をde-assert（停止状態）からAsserted（アクティブな状態）へ変化させる（ステップＳ２０２のＹｅｓ）。
【００６４】
ＤＶＤプレーヤ４では、ＨＰＤ信号がde-assert（停止状態）からAsserted（アクティブな状態）に変化したことで、ＤＶＤプレーヤ４のＣＥＣ制御ユニット４３が、候補メモリ２１に記憶されているPhysical Addressを候補メモリ４３から読み込み（ステップＳ２０３）、候補メモリ４１の候補の中から、通常の制御手順通りアドレス値の小さなアドレス「４」を一つ読み込み（ステップＳ２０４）、Logical addressの取得動作を行う（ステップＳ２０５）。
【００６５】
そして、Logical addressの取得動作より、アドレス「４」が通信用のLogical Addressとして正式に決定すると、決定したLogical AddressとPhysical Addressを含む通信用アドレスをアドレス決定通知（ＣＥＣコマンド）に含ませてＨＤＭＩ−ＣＥＣ制御線１３を通じて制御装置３０へ送信する（ステップＳ２０６）。
【００６６】
ＤＶＤプレーヤ４がLogical addressの取得動作を開始した時点（図３の時刻ｔ３）では、内蔵のＢＤユニット２は既にアドレス決定通知を送信しており（アドレス取得済みであり）、内蔵のＢＤユニット２には事前設定しておいたLogical address「１１」が正式に取得されている。
【００６７】
上記のようにこの第１動作例では、ＡＣコンセントなどからの一時電源が投入され、ＢＤユニット２に電力が供給されると同時に、ＢＤユニット２では、ＨＰＤ信号の変化を待つことなくLogical Addressの取得動作を開始するので、同じＨＤＭＩ−ＣＥＣ制御線１３で接続された他のソース機器であるＤＶＤプレーヤ４よりも先に通信用のアドレスであるLogical Addressを取得できる。一本のＨＤＭＩ−ＣＥＣ制御線１３で複数のソース機器を制御する上で、所定のソース機器（この例では内蔵ＢＤユニット２）に優先して通信用のアドレスを取得させることができる。
【００６８】
（第２動作例）図４，図５を参照してこの実施形態のＢＤプレーヤ内蔵ＴＶの第２動作例を説明する。上記第１動作例では、電源供給によりＢＤユニット２がＨＰＤ信号の変化を待たずにアドレス取得動作を開始してＤＶＤプレーヤ４よりも先にアドレスを取得する例について説明したが、この第２動作例ではＢＤユニット２とＤＶＤプレーヤ４がアドレス取得動作をほぼ同時に開始する場合の例について説明する。
【００６９】
この場合、家庭の壁コンセントなどの商用電源に、このＴＶ筐体１から引き出されたＡＣコンセントが差し込まれ、電源ユニット８にＡＣ１００Ｖ（一次電源）が供給されると、電源ユニット８からＢＤユニット２およびＴＶユニット３へ駆動用の電力が供給される（図４、図５のステップＳ１１１）。
【００７０】
一方、外部接続のＤＶＤプレーヤ４では、自己の電源スイッチがオンされて既に電源が投入されている場合（ステップＳ２１１）、ＣＥＣ制御ユニット４３は、ＴＶ筐体１側からＨＤＭＩ−ＣＥＣ制御線１３を通じて入力されるＨＰＤ信号がAsserted（アクティブな状態）になるのを待機している（ステップＳ２１２）。
【００７１】
電源ユニット８から動作用の電力がＴＶユニット３へ供給されたことで、ＴＶユニット３では、ＨＰＤ制御ユニット３１，３２がＢＤユニット２とＤＶＤプレーヤ４へのＨＰＤ信号をde-assert（停止状態）からAsserted（アクティブな状態）へそれぞれ変化させる（ステップＳ１１２のＹｅｓ、Ｓ２１２のＹｅｓ）。
【００７２】
ＢＤユニット２とＤＶＤプレーヤ４では、ＨＰＤ信号がde-assert（停止状態）からAsserted（アクティブな状態）に変化したことで、ＣＥＣ制御ユニット２３，４３は、ほぼ同時にアドレス取得動作を開始する。
【００７３】
この場合、ＤＶＤプレーヤ４のＣＥＣ制御ユニット４３は、候補メモリ４１の候補の中から、通常の順序でアドレスの候補を一つ読み込み（ステップＳ２１３）、ＨＤＭＩ−ＣＥＣ制御線１３を通じてLogical addressの取得動作を行う（ステップＳ２１４）。通常の順序とは一般的にアドレス値の小さな順であり、「４」→「８」→「１１」という順序になる。
【００７４】
一方、ＢＤユニット２のＣＥＣ制御ユニット２３は、候補メモリ２１の候補の中から、予め決められたアドレス値の大きな順にアドレスの候補を一つ読み込み（ステップＳ１１３）、Logical addressの取得動作を行う（ステップＳ１１４）。アドレス値の大きな順とは「１１」→「８」→「４」という順序になる。
【００７５】
したがって、ＤＶＤプレーヤ４は、アドレス値の小さなアドレス「４」を用いてLogical addressの取得動作を行い、使用中を示す応答（ACK）があった場合は次のアドレス値のアドレス「８」を一つ読み込み、Logical addressの取得動作を行うことになる。
【００７６】
一方、ＢＤユニット２では、ＣＥＣ制御ユニット２３が、候補メモリ２１から読み出ししたアドレス「１１」を用いてLogical addressの取得動作を行う（ステップＳ１１４）。つまり、アドレス「１１」が空いているか否かの空き確認を行う。
【００７７】
したがって、ＢＤユニット２では、ＤＶＤプレーヤ４が要求するアドレスと競合することなく、１回目の要求でアドレスを取得できる。
【００７８】
以上のようにこの第２動作例では、同じデバイスタイプ「Playback Device」の機器と同時にアドレス取得動作を開始した場合であっても、通常とは異なるアドレス（候補として使用されている可能性の低い、アドレス値の一番大きな値のアドレス「１１」）を候補にするため、同じデバイスタイプの機器と競合することなくアドレスが得られ、結果として内蔵デバイスであるＢＤユニット２が候補としたAddressを効率よく取得することができる。
【００７９】
なおこの例では、２つのソース機器の動作例を示したが、３つの場合がより効果が大きいといえる。つまり、外付けのＤＶＤプレーヤ４以外に他の一つの外付けのソース機器が存在した場合、はじめのLogical addressの取得動作でＤＶＤプレーヤ４と他の一つの外付けのソース機器が同じアドレス「４」を要求するケースが考えられ、この場合、２つの機器の要求が競合してアドレス取得が遅れることになるが、ＢＤユニット２は、アドレス「１１」を用いて要求することで、１回の動作でアドレスを取得できる。
【００８０】
（第３動作例）図６，図７を参照してこの実施形態のＢＤプレーヤ内蔵ＴＶの第３動作例を説明する。上記第１動作例では、電源供給によりＢＤユニット２がＨＰＤ信号の変化を待たずにアドレス取得動作を開始してＤＶＤプレーヤ４よりも先にアドレスを取得する例について説明したが、この第３動作例ではＢＤユニット２とＤＶＤプレーヤ４がアドレス取得動作をほぼ同時に開始する場合の例について説明する。
【００８１】
この場合、家庭の壁コンセントなどの商用電源に、このＴＶ筐体１から引き出されたＡＣコンセントが差し込まれ、電源ユニット８にＡＣ１００Ｖ（一次電源）が供給されると、電源ユニット８からＢＤユニット２およびＴＶユニット３へ駆動用の電力が供給される（図６、図７のステップＳ１２１）。
【００８２】
一方、外部接続のＤＶＤプレーヤ４では、自己の電源スイッチがオンされて既に電源が投入されている場合（ステップＳ２２１）、ＣＥＣ制御ユニット４３は、ＴＶ筐体１側からＨＤＭＩ−ＣＥＣ制御線１３を通じて入力されるＨＰＤ信号がAsserted（アクティブな状態）になるのを待機している（ステップＳ２２２）。
【００８３】
電源ユニット８から動作用の電力がＴＶユニット３へ供給されたことで、ＴＶユニット３では、ＨＰＤ制御ユニット３１がＢＤユニット２へのＨＰＤ信号を、またＨＰＤ制御ユニット３２がＤＶＤプレーヤ４へのＨＰＤ信号を、それぞれde-assert（停止状態）からAsserted（アクティブな状態）へ変化させる（ステップＳ１２２のＹｅｓ、Ｓ２２２のＹｅｓ）。
【００８４】
ＢＤユニット２とＤＶＤプレーヤ４では、ＨＰＤ信号がde-assert（停止状態）からAsserted（アクティブな状態）に変化したことで、ＣＥＣ制御ユニット２３，４３は、ほぼ同時にアドレス取得動作を開始する。
【００８５】
この場合、ＤＶＤプレーヤ４のＣＥＣ制御ユニット４３は、候補メモリ４１の候補の中から、通常の順序でアドレスの候補「４」等を一つ読み込み（ステップＳ２２３）、アドレスの候補「４」を用いてLogical addressの取得動作を行う（ステップＳ２２４）。
【００８６】
通常の順序とは一般的にアドレス値の小さな順であり、「４」→「８」→「１１」という順序になる。ＣＥＣ制御ユニット４３は、Logical addressの取得動作の際に、アドレスの候補「４」をアドレス取得要求のコマンドを含ませてＨＤＭＩ−ＣＥＣ制御線１３を通じて送信する。
【００８７】
一方、ＢＤユニット２のＣＥＣ制御ユニット２３は、保持部２２に事前登録された特定のアドレス「４」を仮登録Logical addressに決定する（ステップＳ１２３）。なお特定のアドレスの事前登録は、保持部２２でなくてもよく、例えば候補メモリ２１の中の一つのアドレスにフラグを付けるなどの方法で設定しておいてもよい。
【００８８】
ここで、ＨＤＭＩ−ＣＥＣ制御線１３を通じてアドレス取得要求が、ＢＤユニット２のＣＥＣ制御ユニット２３に受信されると、ＣＥＣ制御ユニット２３は、要求を受けた候補のアドレス「４」が使用中である旨の応答（ACK）を、ＨＤＭＩ−ＣＥＣ制御線１３を通じて要求元のＤＶＤプレーヤ４へ返信する（ステップＳ１２４）。
【００８９】
ＤＶＤプレーヤ４では、ＢＤユニット２からの応答（ACK）をＣＥＣ制御ユニット４３が受信すると、その候補「４」の空きがないものと判定して、次のアドレスの候補「８」を候補メモリ２１から読み込み（ステップＳ２２５）、アドレスの候補「８」をアドレス取得要求のコマンドに含ませてＣＥＣ制御線１３を通じて送信する（ステップＳ２２６）。
【００９０】
アドレスの候補「８」は、空きアドレスとなっているため、ＣＥＣ制御ユニット４３は、そのアドレスの候補「８」をLogical addressに決定し、決定したLogical addressを含めたアドレス決定通知を制御装置３０へ送信する（ステップＳ２２７）。
【００９１】
一方、ＢＤユニット２のＣＥＣ制御ユニット２３は、アドレス「４」が使用中である旨の応答（ACK）を返信した後、候補メモリ２１から仮登録中のアドレス「４」を読み出してそのアドレス「４」を用いてLogical addressの取得動作を行う（ステップＳ１２５）。つまり、アドレス「４」が空いているか否かの空き確認を行う。
【００９２】
この時点でＤＶＤプレーヤ４は、次のアドレスの候補「８」を用意してアドレス取得動作を開始しているため、ＢＤユニット２からのアドレス取得要求に対して応答せず、ＢＤユニット２では、ＣＥＣ制御ユニット２３が、アドレス「４」を正式なLogical addressに決定し、決定したLogical addressを含めたアドレス決定通知を制御装置３０へ送信する（ステップＳ１２６）。
【００９３】
以上のようにこの第３動作例では、同じデバイスタイプ「Playback Device」の機器と同時にアドレス取得動作を開始した場合であっても、他のソース機器からのアドレス取得要求が先に実施された場合に、受信されたアドレスの候補「４」が使用中である旨の応答（ACK）を行った後、そのアドレス「４」を用いてアドレス取得動作を行うことで、結果として内蔵デバイスであるＢＤユニット２が候補としたアドレスを取得することができる。
【００９４】
このようにこの実施形態のＢＤプレーヤ内蔵ＴＶによれば、１本のＨＤＭＩ−ＣＥＣ制御線１３で接続された複数のソース機器（内蔵ＢＤユニット２と外部接続ＤＶＤプレーヤ４）を制御する際に、内蔵するＢＤユニット２を所定のソース機器として通信用のアドレスを優先して取得させることができる。
【００９５】
また、内蔵ソース機器を専用線で制御し、外部接続のソース機器をＨＤＭＩ−ＣＥＣ制御線で制御するような場合に比べて連携機能部品を開発する必要がないため内蔵ソース機器のアドレス優先取得機能を低コストに構成できる。
【００９６】
なお、本願発明は、上記実施形態のみに限定されるものではなく、実施段階ではその要旨を逸脱しない範囲で構成要素を変形してもよい。
【００９７】
例えば上記第１動作例（ＨＰＤ信号が変化する前にアドレス取得動作）と第２動作例（アドレス候補を値の大きい順に読み出す）とを組み合わせてもよく、上記第１動作例（ＨＰＤ信号が変化する前にアドレス取得動作）と第３動作例（他の機器からのポーリングに対してアドレス使用中を示す応答（ACK）を返す）とを組み合わせてもよい。
【００９８】
また、上記実施形態では、一度通信用アドレスを取得した後、再取得を行わない制御を、主に所定のソース機器である内蔵されたＢＤユニット２の側で行う例を示したが、例えばＴＶユニット３の制御装置３０のＣＥＣ制御ユニット３３を制御してもよい。
この場合、ＣＥＣ制御ユニット３３は、メモリ３４に通信用アドレスが記憶されているソース機器の接続がＨＰＤ制御ユニット３１，３２により検出された場合、ソース機器が予め指定された入力ポート（例えば１．０．０．０など）に接続された機器である場合、ＨＰＤ信号をアクティブな状態に変化させないか、ＨＰＤ信号を送出しないよう該当ＨＰＤ制御ユニット３１，３２を制御する。
【００９９】
また、図１で示した各構成要素を、コンピュータのハードディスク装置などのストレージにインストールしたプログラムで実現してもよく、またプログラムを、コンピュータ読取可能な電子媒体：electronic mediaに記憶しておき、プログラムを電子媒体からコンピュータに読み取らせることで本発明の機能をコンピュータが実現するようにしてもよい。
【０１００】
電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【０１０１】
１…ＴＶ筐体、２…ＢＤプレーヤユニット（ＢＤユニット）、３…ＴＶユニット、４…ＤＶＤプレーヤ、５，６…ＨＤＭＩケーブル、８…電源ユニット、１１，１２…ホットプラグ検出線（ＨＰＤ線）、１３…ＨＤＭＩ−ＣＥＣ制御線、１５，１６…＋５Ｖ電源線、１７，１８…データ線、２１，４１…候補メモリ、２２…保持部、２３，３１，４３…ＣＥＣ制御ユニット、２９，３９，４０…ＨＤＭＩ端子、３０…制御装置、３１，３２…ＨＰＤ制御ユニット、３４…メモリ、３５…チューナー、３６…映像・音声処理ユニット、３７…ディスプレイ、３８…スピーカ。
【図１】
2011146777.tif 000003
【図２】
2011146777.tif 000004
【図３】
2011146777.tif 000005
【図４】
2011146777.tif 000006
【図５】
2011146777.tif 000007
【図６】
2011146777.tif 000008
【図７】
2011146777.tif 000009